(57)【要約】【課題】それ自体で自立し、風圧などによっても倒れることがなく、現場で容易に組み立てられ、分解して容易に運搬することができるプラスチック製バリケードを提供する。【解決手段】プラスチック製バリケード１は、一方および他方の半体２，３を互いに対称となるように連結して構成される。一方および他方の半体２，３は、方形の板状で上部が互いの連結部４，４を、かつその下方が脚部５，５をなしている。一方および他方の半体２，３の連結部４，４は、一方および他方の半体２，３の開脚状態で互いに接する接合面を有する。一方および他方の脚部５，５は複数の柱状部７で区画された開口部８を有する。脚部５，５の下端にはフォークリフト用の凹部９，９を有する。一方および他方の半体２，３の連結部４，４には、接合面に開口しかつ互いに対向して両側端に貫通する通し孔１３を形成する凹溝１２，１２を有する。【選択図】        図１
2004183242.tif 000002
【特許請求の範囲】
【請求項１】
一方および他方の半体を互いに対称となるように連結して構成されるプラスチック製バリケードにおいて、一方および他方の半体は、ともに方形の板状で上部が互いの連結部を、かつその下方が脚部をなしており、一方および他方の半体の連結部は、一方および他方の半体が開脚状態で互いに接する接合面を有し、一方および他方の脚部は複数の柱状部で区画された開口部を有しており、脚部の下端には凹部を有していることを特徴とするプラスチック製バリケード。
【請求項２】
一方および他方の脚部の柱状部は、その裏面に凹状リブが形成されていることを特徴とする請求項１記載のプラスチック製バリケード。
【請求項３】
一方および他方の脚部の柱状部の裏面に形成された凹状リブは、脚部の下端の凹部に達して形成されていることを特徴とする請求項１または２記載のプラスチック製バリケード。
【請求項４】
一方および他方の脚部は、その下端が末広がり状の幅広部を有することを特徴とする請求項１、２または３記載のプラスチック製バリケード。
【請求項５】
一方および他方の半体の連結部には、接合面に開口しかつ互いに対向して両側端に貫通する通し孔を形成する凹溝がそれぞれ形成されており、通し孔を形成する凹溝に近接した接合面には凹部または凸部を有し、互いに凹凸嵌合構造をなしていることを特徴とする請求項１、２、３または４記載のプラスチック製バリケード。
【発明の詳細な説明】
【０００１】
【発明の属する技術分野】
本発明は、工事現場に仮設する安全柵、通行止めのための仮設柵、催し会場の場所規制や案内のための仮設柵などとして用いられるプラスチック製バリケードに関するものである。
【０００２】
【従来の技術】
従来、この種の用途に供されるバリケードとしては、特開平１０−２０４８３９号公報または特開２００２−２１２９２６号公報にそれぞれ記載されているものが知られており、これらのバリケードは、プラスチック製の支持脚に横パイプを取り付けた構成のものである。
【０００３】
【発明が解決しようとする課題】
ところで、上記のような従来のバリケードにあっては、横パイプを支持脚で支える構成であるところから、支持脚部分は、横パイプを単に支持するだけで、それが場所の区画や遮断等のために役立たたず、構成上有効でなく無駄である。
【０００４】
そこで、本発明は、ともに方形の板状の一方および他方の半体の上部を互いに連結して、それ自体で自立してバリケードとなり、風圧などによっても倒れることがなく、また、現場で容易に組み立てられ、分解すると容易に運搬することができるプラスチック製バリケードを提供することを目的とするものである。
【０００５】
【課題を解決するための手段】
上記目的を達成するため、本発明は、請求項１ないし５に記載するプラスチック製バリケードを提供する。すなわち、請求項１に係るプラスチック製バリケードは、一方および他方の半体を互いに対称となるように連結して構成されるプラスチック製バリケードにおいて、一方および他方の半体は、ともに方形の板状で上部が互いの連結部を、かつその下方が脚部をなしており、一方および他方の半体の連結部は、一方および他方の半体が開脚状態で互いに接する接合面を有し、一方および他方の脚部は複数の柱状部で区画された開口部を有しており、脚部の下端には凹部を有していることを特徴とするものである。
【０００６】
また、請求項２に係るプラスチック製バリケードは、請求項１記載のバリケードにおいて、一方および他方の脚部の柱状部は、その裏面に凹状リブが形成されていることを特徴とするものである。
【０００７】
請求項３に係るプラスチック製バリケードは、請求項１または２記載のバリケードにおいて、一方および他方の脚部の柱状部の裏面に形成された凹状リブは、脚部の下端の凹部に達して形成されていることを特徴とするものである。
【０００８】
請求項４に係るプラスチック製バリケードは、請求項１、２または３記載のバリケードにおいて、一方および他方の脚部は、その下端が末広がり状の幅広部を有することを特徴とするものである。
【０００９】
請求項５に係るプラスチック製バリケードは、請求項１、２、３または４記載のバリケードにおいて、一方および他方の半体の連結部には、接合面に開口しかつ互いに対向して両側端に貫通する通し孔を形成する凹溝がそれぞれ形成されており、通し孔を形成する凹溝に近接した接合面には凹部または凸部を有し、互いに凹凸嵌合構造をなしていることを特徴とするものである。
【００１０】
【発明の実施の形態】
図面は本発明の一実施の形態を示す。図１はプラスチック製バリケードの全体斜視図、図２はその一方の半体の正面図、図３は同上裏面図、図４は図１のＡ−Ａ線矢視方向の断面図、図５は同上Ｂ−Ｂ線矢視方向の断面図、図６は一部の分解状態の斜視図、図７は同上連結状態の斜視図である。
【００１１】
１はプラスチック製バリケードである。このプラスチック製バリケード１は、ともに同一形状の方形の板状をなす一方の半体２および他方の半体３を互いに対称となるように連結して構成され、側面からみて上部から下方に開いた状態の開脚状をなしているものである。
【００１２】
プラスチック製バリケード１を構成する一方の半体２および他方の半体３は、その上部が互いの連結部４，４をなし、かつその下方が側面からみて左右に開く脚部５，５をなしている。一方および他方の半体２，３の連結部４，４は、一方および他方の半体２，３が開脚状態で互いに接する接合面６，６を有している。一方および他方の脚部５，５は複数の柱状部７で区画された開口部８を有しており、脚部５，５の下端には、フォークリフト（図示せず）用の凹部９，９を有しているものである。
【００１３】
一方および他方の脚部５，５の複数の柱状部７は、その裏面に凹状リブ１０が形成されており、この凹状リブ１０には、補強のために複数のウエルドリブ１１が形成されており、その裏面が対向する壁面に対して溶着一体化されている。上記一方および他方の脚部５，５の柱状部７のうちの左右両側に位置するものの裏面に形成された凹状リブ１０は、脚部５，５の下端の凹部９，９に達して形成されている。
【００１４】
一方および他方の半体２，３の連結部４，４には、それぞれ凹溝１２，１２が形成されている。この凹溝１２，１２は、接合面６，６に開口しかつ互いに対向して両側端に貫通する通し孔１３を形成するものであり、この通し孔１３は、ロープまたはパイプなどを挿通するためのものである。通し孔１３を形成する凹溝１２，１２に近接した接合面には、その一方に凸部１４が、かつその他方に凹部１５が形成されていて、互いの凹凸嵌合構造をなしている。
【００１５】
一方の半体２および他方の半体３はそれぞれブロー成形される。一方の半体２および他方の半体３は、全体が中空二重壁構造をなしている。一方の半体２および他方の半体３の連結部４，４には、ネジ止めのための複数のネジ孔１６が複数形成されている。また、連結部４，４の上端面には、積み重ね保持凸部１７，１７が形成されている。
【００１６】
本発明に係るプラスチック製バリケード１を構成する一方および他方の半体２，３は、引張弾性率が７０００Ｋｇ／ｃｍ２以上の剛性を有するプラスチックで構成するのが好適である。すなわち、それは高密度ポリエチレン樹脂、中密度ポリエチレン樹脂、ポリプロピレン樹脂、ポリアミド樹脂、ポリエチレンテレフタート樹脂、ポリブチレンテレフタート樹脂、ポリスチレン樹脂、ＡＢＳ樹脂、ポリカーボネート樹脂、変性ポリフェニレンオキサイド樹脂あるいはこれらのブレンド物など、剛性にすぐれたブロー成形可能な熱可塑性樹脂等である。
【００１７】
本発明に係るプラスチック製バリケード１によれば、一方および他方の脚部５，５は複数の柱状部７で区画された開口部８を有していて、その開口部８は一方および他方の脚部５，５において広い部分占めるので、一方および他方の脚部５，５が強い風圧を受けても倒れるおそれがないし見通しも良好である。そのうえ、一方および他方の脚部５，５は、開口部８を囲むように柱状部７で補強されているので、その全体の剛性が大きく、強度性にもすぐれている。この脚部５，５はその下端が末広がり状の幅広部１８として形成されているので、開脚状態で起立させたバリケードの接地面積を広くとることができ、安定した設置が可能である。
【００１８】
また、一方および他方の脚部５，５の柱状部７のうちの左右両側に位置するものの裏面に形成された凹状リブ１０は、脚部５，５の下端のフォークリフト用の凹部９，９に達して形成されているので、その凹部９，９が凹状リブ１０により補強され、凹部９，９にフォークリフトの爪をかけても破損するおそれがなく、繰り返し安全に運搬することができる。
【００１９】
さらにまた、ロープ等を挿通するための通し孔１３を形成する凹溝１２、１２に近接した接合面には、その一方に凸部１４が、かつその他方に凹部１５が形成されていて、互いに凹凸嵌合構造をなしており、その接合面に対してロープ等がくい込み、外れることを防止している。
【００２０】
本発明に係るプラスチック製バリケード１は、前述のように、その構成の主要部である一方の半体２および他方の半体３が略同じ成形部材で構成されるから、組立作業性が良好である。
【００２１】
【発明の効果】
本発明によれば、ともに方形の板状の一方および他方の半体の上部を互いに連結して、それ自体で自立してバリケードとなり、風圧などによっても倒れることがなく、また、現場で容易に組み立てられ、分解すると容易に運搬することができるプラスチック製バリケードが得られるものである。
【図面の簡単な説明】
【図１】本発明の一実施の形態に係るプラスチック製バリケードの全体斜視図である。
【図２】同上一方の半体の正面図である。
【図３】同上裏面図である。
【図４】図１のＡ−Ａ線矢視方向の断面図である。
【図５】同上Ｂ−Ｂ線矢視方向の断面図である。
【図６】一部の分解状態の斜視図である。
【図７】同上連結状態の斜視図である。
【符号の説明】
１  プラスチック製バリケード
２  一方の半体
３  他方の半体
４，４  連結部
５，５  脚部
６，６  接合面
７  柱状部
８  開口部
９，９  凹部
１０  凹状リブ
１１  ウエルドリブ
１２，１２  凹溝
１３  通し孔
１４  凸部
１５  凹部
１６  ネジ孔
１７，１７  積み重ね保持凸部
１８  幅広部
【図１】
2004183242.tif 000003
【図２】
2004183242.tif 000004
【図３】
2004183242.tif 000005
【図４】
2004183242.tif 000006
【図５】
2004183242.tif 000007
【図６】
2004183242.tif 000008
【図７】
2004183242.tif 000009